(57)【特許請求の範囲】
【請求項１】
折り方向サイズと折り数に対応した折り間の長さや文字サイズなどの箱内構成要素データを格納した複数の基準テーブルと、
当該複数の基準テーブルに一致しない場合に使用する折り間の長さや文字サイズなどの箱内構成要素データを格納した汎用基準テーブルと、
指定された折り方向サイズと折り数に一致する基準テーブルがあるかどうかを検索して、ある場合はその箱内構成要素データをメモリに格納し、ない場合は前記汎用基準テーブルの箱内構成要素データをメモリに格納する手段と、
前記折り方向サイズから前記メモリに格納した箱内構成要素データ中の折り以外の折り方向長さを除いた実効長を算出し、この実効長を前記折り数で分割して各折りの折り方向長さを算出し、この折り方向長さを前記メモリに格納した箱内構成要素データ中の文字サイズで割ることにより各折りの字詰数を算出する箱設定手段と、
を有することを特徴とする新聞紙面上の箱自動作成装置。
【請求項２】
前記箱設定手段は、
前記各折りの折り方向長さを算出する際に生じる折り方向余りについては折り以外の部分に割り振る、
ことを特徴とする請求項１記載の新聞紙面上の箱自動作成装置。
【請求項３】
前記箱設定手段は、
前記各折りの字詰数を算出する際に生じる折り方向余りについては折り以外の部分に割り振る、
ことを特徴とする請求項１または２記載の新聞紙面上の箱自動作成装置。
【請求項４】
前記箱設定手段が自動設定した箱についての、各折りの字詰数や折り間などの箱内構成要素の個別変更指示に対し、
この個別変更後の箱の折り方向サイズと自動設定済のそれとの差分を求め、この差分を前記箱内構成要素の所定部分に割り振る箱内調整手段を設けた、
ことを特徴とする請求項１乃至３記載の新聞紙面上の箱自動作成装置。
【請求項５】
前記箱内調整手段は、
前記所定部分として、前記箱内構成要素の中で調整対象となりえる旨の指示が与えられているものを用いる、
ことを特徴とする請求項４記載の新聞紙面上の箱自動作成装置。
【発明の詳細な説明】
【０００１】
【発明の属する技術分野】
本発明は、新聞紙面上の箱自動作成装置に関し、特にコンピュータを利用した組版処理システムＣＴＳ(Computer  Typesetting  System)における新聞紙面上の箱を、その折り方向サイズ、その中の折り数、その折り方向の折り以外の長さ、各折りで用いられる文字サイズなどの箱作成用データに基づいて自動作成するものに関する。
【０００２】
一般に、連載記事や社説などの掲載部分に用いられる新聞紙面上の箱は、紙面の他の汎用部分とは異なる体裁（１段の字詰数、隣接段の間隔、囲み罫の有無など）をとるので、紙面全体のレイアウトに変化を持たせることができるといった利点を有しており、本発明は、このような新聞紙面上の箱の作成手順を簡略化したいとういう要請に応えるものである。
【０００３】
なお、箱作成手順の簡略化の要請は主にその折り方向に関して、すなわち指示通りの折り方向サイズと折り数（箱内の段数）からなる箱を紙面上に設定することに関してであり、本発明も、新聞紙面上の箱の折り方向サイズの設定や箱内構成要素の折り方向についての設定を対象とする。なお、箱の行方向については掲載する記事素材の量によりいわば成り行きで決定されることが多い。
【０００４】
ここで、折り方向とは文字の並び方向、行方向とはある行から別の行への方向のことであって、縦書きの新聞紙面では折り方向は縦方向となり、また行方向は横方向となる。
【０００５】
以下の記載では、説明の便宜上、縦書きの新聞紙面を前提として折り方向の意味で縦方向、行方向の意味で横方向の用語をそれぞれ用いるが、本発明が横書きの新聞紙面にも適用されることは勿論であって、その場合には縦方向、横方向の記載を相互に置き換える必要がある。
【０００６】
【従来の技術】
図13は、一般的な箱フォーマットを示す説明図であり、41は箱、42は天罫外あき、43は天罫、44は天罫内あき、45は天折り間、46は折り、47は折り間、48は折り、49は折り間、50は折り、51は地折り間、52は地罫内あき、53は地罫、54は地罫外あき、55は左罫外あき、56は左罫、57は左罫内あき、58は右罫内あき、59は右罫、60は右罫外あき、61は行、62は行間をそれぞれ示している。
【０００７】
図示の箱パタンは、記事素材の掲載領域である３個の折り46、48、50ならびに天折り間45および地折り間51からなる部分の上下左右に囲み罫を配した形のものになっている。
【０００８】
実際の箱フォーマットとしてはこれの変形、例えば囲罫の全部または一部を省略したものや、天折り間45／地折り間51を省略したものなどが用いられる。また、天折り間45や地折り間51に横書きの見出し記事などが載ることもある。
【０００９】
このように、多数の構成要素からなる箱の縦方向に対し、箱作成者は箱内の各構成要素の縦方向長さや各折りの字詰数（１行に入る字数）を指示していき、箱の縦方向サイズはこれら指示内容をいわば累積したかたちで決まっていく。
【００１０】
一方、箱の縦方向サイズ自体は、紙面全体のレイアウトとの兼ね合いのため、箱内の個々の構成要素の縦方向長さなどとは独立したかたちであらかじめ決められている。
【００１１】
したがって、箱作成者は、箱内構成要素の縦方向長さなどを指示する際にもその内容が箱の縦方向サイズにどのように影響していくかを考慮しなければならず、また作成した箱の縦方向サイズが別途決められている値と異なる場合にはその差分を箱内構成要素に割り振るといった調整作業を行なっていた。
【００１２】
また、所定の箱（例えば社説用の箱）に対応の基準箱パタンを登録しておき、パタン名（例えば「社説」）でそれを呼び出して用いることも行なわれているが、その場合にも作成すべき箱の縦方向サイズや箱内構成要素の縦方向長さなどが基準箱パタンのものと違っていれば、この違いに基づく変更・調整作業が必要となる。
【００１３】
図14は、一般的な箱フォーマットテーブルの一部を示す説明図であり、内容的には、
・ベース情報（箱全体の大きさや位置、文字の大きさ、行の大きさ、行数、折り数、標準折り間など）
・折り情報（折りごとの折り間や折り幅など）
・囲み罫情報（天地左右それぞれの罫あき、天折り間、地折り間など）
に大別される。
【００１４】
なお、折り情報部分の「×３０」は折り１〜折り３０についてそれぞれの折り間、字詰数、折り幅・・・のデ−タを保持する領域が用意されている旨の意である。
【００１５】
また、図13には示していないが、
・標準折り罫種とは、折り間に用いられる標準的な罫の罫種を示すデ−タ
・折り罫フラグとは、折り罫の有無を示すフラグ（通常の箱では折り罫はないことが多い）
・字詰変更フラグとは、標準値とは異なる字詰数が指定されている折りの有無を示すフラグ
・囲区分とは、折りの上下左右のどの部分に囲罫を設けるかを示すデ−タ
・囲罫種とは、囲罫幅を指定するデ−タ（図３参照）
のことである。
【００１６】
この箱フォーマットテーブルの各デ−タ部分には初期値があらかじめ設定されており、オペレータが箱内構成要素のデ−タを入力することによりその対応部分が更新され、この更新結果に基づいて箱のサイズ（組大きさＸ、組大きさＹ）も更新されることになる。
【００１７】
図15は、一般的な文字テーブルおよび罫線テーブルを示す説明図であり、
・前者には、オペレータが入力する文字表現デ−タとそれに対応の文字大きさとが記され、
・後者には、オペレータが入力する罫種デ−タとそれに対応の罫幅とが記されている。また、この罫種デ−タは罫模様も指示しており、これらのテーブルから求まる文字大きさや罫幅などが図14の箱フォーマットテーブルに保持される。
【００１８】
なお、文字テーブル中の文字大きさの単位はドット、罫線テーブル中の罫幅の単位は「Ｕ（＝５ドット」であり、文字表現「１倍」に対応のＹ方向の文字大きさは４０ドット、罫種「００１」に対応の罫幅は２０ドット（５Ｕ）となる。
【００１９】
【発明が解決しようとする課題】
このように、従来の新聞紙面上の折り方向における箱作成の手法は、箱内の各構成要素の折り方向の長さなどを個々に設定し、これら設定データの累積値を箱の折り方向サイズとして取り扱ことを基本としているので、オペレータはこの累積値をあらかじめ指定された折り方向サイズと一致させるために箱内構成要素の折り方向の長さなどを試行錯誤的に設定せざるを得ず、箱作成の手順が複雑でその要処理時間も長くなるという問題点があった。
【００２０】
そこで、本発明では、先ず箱の折り方向サイズおよびその中に設定される折りの個数を少なくとも指示して箱の骨組みを最初に固定し、残りの箱内構成要素はこの骨組みの下で設定・調整するようにして、新聞紙面上の箱自動作成システムの利便性および信頼性を高めることを目的とする。
【００２１】
【課題を解決するための手段】
図１は、本発明の前提となる構成図であり、１は新聞紙面上の箱，２は天折り間や天罫あき，天罫など，３は折り間，４は地折り間や地罫あき，地罫など，５および６は折り，７は折り５における行（記事部分），８は箱設定手段，９は箱内調整手段，１０は基準テーブルをそれぞれ示している。
【００２２】
箱設定手段８は、箱作成用データに基づいて箱１の各折り５、６の折り方向長さやそこの１行に入る文字数（字詰数）を算出し、箱１の少なくとも折り方向の体裁を設定するものである。
【００２３】
箱作成用データとしては、
・箱の折り方向サイズｓ1 および箱内の折り５、６の個数
・天折り間など、折り間、地折り間などの折り方向長さｓ2 、ｓ3 、ｓ4 および折り方向の文字サイズｓ7 
が用いられる。
【００２４】
前者のデータはオペレータが明示的にまたは対応する登録パタン名などで入力し、後者のデータは基準テーブル１０から読み出している。
【００２５】
箱設定手段８における基本的な処理手順は次のようになっている。
▲１▼箱１の折り方向サイズｓ1 から折り以外（天折り間など、折り間、地折り間などの部分）の長さを除いた実効長Ｓ（＝ｓ1 −ｓ2 −ｓ3 −ｓ4 ）を求める。
▲２▼折り５、６の折り方向長さｓ5 、ｓ6 （＝Ｓ÷２）を求める。
▲３▼折り５、６における字詰数、すなわち１行の字数（＝ｓ5 、ｓ6 ÷ｓ7 ）を求める。
【００２６】
なお、折り５、６それぞれの折り方向長さを所定長だけ異ならせる旨の指示がある場合はステップ▲１▼またはステップ▲２▼の処理にこの所定長を反映させて、例えばステップ▲２▼で実効長Ｓからこの所定長を引いた値を折り５、６の個数で割り、その除算値と、これに所定長を加えた加算値とを折り５、６の折り方向長さとして用いることになる。
【００２７】
また、ステップ▲２▼の除算処理において余りが生じるときにはこの剰余分を天折り間、折り間、地折り間などに例えば均等に割り振るような微調整を行なうようにしてもよい。
【００２８】
箱内調整手段９は、箱設定手段８により箱１およびその内側の体裁が特定された状態で個別変更指示、例えば折り５の字詰数を「＋１」する旨の指示があったとき、箱１の折り方向サイズｓ1 を変更することなしに所定の箱内構成要素の折り方向長さを調整してこの指示に対応する機能を持つものである。
【００２９】
箱内調整手段９における基本的な処理手順は次のようになっている。
▲１▼′個別変更後の箱１の折り方向サイズｓ1 ′を算出し、これと本来の折り方向サイズｓ1 との差分（＝ｓ1 ′−ｓ1 ）を求める。
▲２▼′この差分を箱内構成要素の中でその折り方向長さや字詰数が変更可能な部分に割り振る。
【００３０】
なお、ステップ▲２▼′の割り振り処理は、基本的には差分の符号に応じて、
・変更可能な部分の折り方向長さや字詰数を減少させるもの
・変更可能な部分の折り方向長さや字詰数を増加させるもの
となるが、差分の符号にかかわらず、この減少および増加の割り振り処理を併用してもよい。
【００３１】
本発明の基本的な構成は次の新聞紙面上の箱自動作成装置である。
（１）折り方向サイズと折り数に対応した折り間の長さや文字サイズなどの箱内構成要素データを格納した複数の基準テーブルと、当該複数の基準テーブルに一致しない場合に使用する折り間の長さや文字サイズなどの箱内構成要素データを格納した汎用基準テーブルと、指定された折り方向サイズと折り数に一致する基準テーブルがあるかどうかを検索して、ある場合はその箱内構成要素データをメモリに格納し、ない場合は前記汎用基準テーブルの箱内構成要素データをメモリに格納する手段と、前記折り方向サイズから、前記メモリに格納した箱内構成要素データ中の折り以外の折り方向長さを除いた実効長を算出し、この実効長を前記折り数で分割して各折りの折り方向長さを算出し、この折り方向長さを前記メモリに格納した箱内構成要素データ中の文字サイズで割ることにより各折りの字詰数を算出する箱設定手段と、を有する新聞紙面上の箱自動作成装置
【００３２】
【発明の実施の形態】
図２乃至図１２を参照して本発明の実施の形態を説明する。
図２は、箱設定画面の一部を示す説明図であり、
・縦大きさ（＝折り方向サイズ）を「５段」とすること
・折り数（＝折りの個数）を「５」とすること
・行間を「省略」すること
・囲罫種を「０１８」とすること
・文字倍数を「６Ｐ」とすること
・罫方向を「上」、「下」、「左」にすること
などのデ−タが指示されたことを示している。なお、１段の大きさは１５倍、すなわち１２０Ｕ（＝１２０×５ドット）である。
【００３３】
箱設定画面中における同一カテゴリの複数の要素を選択的に入力する部分、例えば罫方向の「上」、「下」、「左」、「右」については選択入力した部分の左側と上側にラインが示される。
【００３４】
前述のように、新聞紙面上の箱作成に少なくとも必要な入力情報は箱の縦大きさ（折り方向サイズ）と折り数であるが、図示のようにこれらのデ−タ自体を入力するのではなく当該デ−タの組合せに対応させたパタン名を入力するようにしてもよい。
【００３５】
図３は、箱作成用デ−タを特定するための基準テーブルを示す説明図であり、21〜23はテーブルパタンＩＤ、24は４段３折り用基準テーブル、25は５段５折り用基準テーブル、26は汎用基準テーブルをそれぞれ示している。
【００３６】
これら24〜26の各基準テーブルにはそれぞれの所定段数（折り方向サイズ）および所定折り数に対応したいわば雛形としての箱における折り間の長さや文字大きさなどの各箱内構成要素デ−タが保持されている。したがって、この基準テーブルによって特定されるものと同一の箱を用いる場合には特別の箱作成処理を要しない。
【００３７】
テーブルパタンＩＤ21〜23はそれぞれ24〜26の各基準テーブルのいわばラベルであって、各基準テーブルに保持されている段数（折り方向サイズ）、折り数、囲罫種、罫方向、文字倍数からなり、囲罫種の「００１」は罫有り（罫方向の上下左右のいずれかが「１」）を示し、罫無しの場合の囲罫種は「０００」となる。
【００３８】
そして、図２の箱設定画面で指示された縦大きさ及び折り数（以下の説明では「箱作成用基本デ−タ」という）と合致するテーブルパタンＩＤが存在するときはそれに対応の基準テーブルの箱内構成要素デ−タを箱設定手段８のワーク領域27に取り込み、箱作成用基本デ−タと合致するテーブルパタンＩＤが存在しないとききは汎用基準テーブル26の箱内構成要素デ−タを箱設定手段８のワーク領域27に取り込むことになる。なお、合致するかどうかの判断対象はあくまで箱設定用基本デ−タのみであり、オペレータが指示した他のデ−タの一致・不一致は判断対象外である。
【００３９】
図４および図５は、折り方向（縦方向）についての箱作成の処理手順を示す説明図であり、その内容は次のようになっている。なお、オペレータの指示デ−タと各基準テーブルから取り込んだデ−タとが一致しない部分については前者を優先させる。
【００４０】
(1) 入力操作後の箱設定画面の内容をワーク領域27に格納して、次のステップに進む。
(2) 縦大きさ（折り方向サイズ）の指定が「段」、「倍」のいずれであるかを判断して、「段」の場合はステップ(4) に進み、「倍」の場合には次のステップに進む。
(3) 指定値が何段分に換算されるかを算出し、この換算値で箱作成用基本デ−タの縦大きさを更新して、次のステップに進む。
(4) 箱作成用基本デ−タと合致するテーブルパタンＩＤが存在するかどうかを判断し、「YES 」の場合は次のステップに進み、「NO」の場合はステップ(6) に進む。
(5) 当該テーブルパタンＩＤに対応の基準テーブルの内容を箱設定手段８のワーク領域27に格納して、ステップ(7) に進む。
(6) 汎用基準テーブル26の内容を箱設定手段８のワーク領域27に格納して、次のステップに進む。
(7) 箱作成用基本デ−タの縦大きさから折り以外の箱内構成要素それぞれの縦方向の長さ、すなわち天罫外あき、天罫、天罫内あき、天折り間、各折り間、地折り間、地罫内あき、地罫、地罫外あきの縦方向の長さを除いた実効長（図１、図13参照）を求めて、次のステップに進む。
(8) この実効長を箱作成用基本デ−タの折り数で均等分割して１折りの縦方向長さとそのときの余りを求めて、次のステップに進む。
(9) この縦方向長さを縦方向文字サイズで均等分割して１行の標準字詰数を求めるとともに、その余りを折り数倍したものを求めて、次のステップに進む。
(10)ステップ(8) の余りとステップ(9) の折り数倍したものとを加算して、次のステップに進む。
(11)この加算値、すなわち実効長の部分で生じた余りの累積値が「０」であるかどうかを判断し、「YES 」の場合は一連の箱作成処理を終了し、「NO」の場合は次のステップに進む。
(12)この累積値を「折り数＋１」で均等分割したときの分割値を各折り間（天折り間、地折り間を含む）に加算して、次のステップに進む。
(13)ステップ(12)の処理において余りが生じたかどうかを判断し、「YES 」の場合は次のステップに進み、「NO」の場合は一連の箱作成処理を終了する。
(14)この余りを２つに均等分割したときの分割値を天罫外あきと地罫外あきに加算して、次のステップに進む。
(15)ステップ(14)の処理において余りが生じたかどうかを判断し、「YES 」の場合は次のステップに進み、「NO」の場合は一連の箱作成処理を終了する。
(16)この余りを地罫外あきに加算して一連の箱作成処理を終了する。
【００４１】
以上の箱作成の処理手順において使用するデ−タの均等分割、加算などの演算はドット単位で実行し、ステップ(3) の算出は次式により行ない演算結果が整段とならない場合は切り上げている。
【００４２】
【数１】
0003723873.tif 000002
【００４３】
図６は、図４および図５の処理手順によって作成された箱の説明図であり、図２の箱設定画面でオペレータが指定した縦大きさ及び折り数や基準テーブルの箱内構成要素デ−タに基づき、天罫31、左罫32および地罫33に囲まれた５折りの体裁の箱となっている。
【００４４】
図７および図８は、箱パタン表示画面の一部を示す説明図であり、図４および図５の処理手順によって作成された箱のパタンデ−タ（箱の大きさや箱内構成要素を示すデ−タ）を表示している。
【００４５】
図７の箱パタン表示画面では、
・縦大きさが「５段」であること
・横大きさが「２６行」に「１倍（＝８Ｕ）」と「５Ｕ」とを加えた長さであること
・折り数が「５」であること
・１折りの行数が「２６」であること
・文字倍数が「６Ｐ」であること
・１行の標準字詰数が「１１」であること
・行間が「 5.0Ｕ」であること
・折罫種が「０００」であること（折罫がないこと）
・標準折り間が「 8.0Ｕ」であること
・天折り間および地折り間が「０」であること
などを示している。
【００４６】
図８の箱パタン表示画面では、
・囲み罫区分が「上、下、左」であること
・囲罫種が「０１８」であること
・天罫外あき、天罫内あきが「 8.4Ｕ」であること
・地罫外あき、地罫内あきが「 8.6Ｕ」であること
・左罫外あき、右罫外あきが「０」であること
・左罫内あき、右罫外内きが「 5.0Ｕ」であること
・各折り間（折り01〜折り04）および各折りの字詰数（詰01〜詰05）が「標準設定」であること
などを示している。
【００４７】
図９は、箱パタン変更指示画面の一部を示す説明図であり、この画面での指示内容は１段目（１折り目）の字詰数を標準設定の「１１」から「１２」に変更することである。なお、この変更指示は図７の箱パタン表示画面の折り１の字詰数（詰01）の値を「１２」に変えることによっても可能である。
【００４８】
図７〜図９の各画面上で折り間、各折りの字詰数などについて、他の箱内構成要素に対する変更指示実行時の自動調整の対象とするかどうかの指示を、
・固（固定で自動調整対象外）
・変（可変で自動調整対象）
・標（標準で自動調整対象外）
のかたちで個々の箱内構成要素ごとに入力することができる。なお、天地の罫あきの部分はすべて自動調整対象としている。
【００４９】
図10および図11は、箱パタン変更指示に対する処理手順を示す説明図であり、その内容は次のようになっている。
(21)変更後の箱の縦大きさを算出して、次のステップに進む。
(22)この算出値と変更前の縦大きさとの差分を求めて、次のステップに進む。
(23)字詰数可変の折りがあるかどうかを判断し、「YES 」の場合は次のステップに進み、「NO」の場合はステップ(27)に進む。
(24)この差分が「（縦方向の文字サイズ）×（字詰数可変の折り数）」より小さいかどうかを判断し、「YES 」の場合はステップに(27)進み、「NO」の場合は次のステップに進む。
(25)この差分を字詰数可変の各折りに縦方向の文字サイズ単位で均等に吸収、すなわち字詰数の増減を実行して、次のステップに進む。
(26)ステップ(25)の処理において余りが生じたかどうかを判断し、「YES 」の場合は次のステップに進み、「NO」の場合は一連の変更処理を終了する。
(27)長さ可変の折り間があるかどうかを判断し、「YES 」の場合は次のステップに進み、「NO」の場合はステップ(30)に進む。
(28)ステップ(22)の差分やステップ (25) 、(34)の余りを長さ可変の各折り間に均等に配分して、次のステップに進む。
(29)ステップ(28)の処理において余りが生じたかどうかを判断し、「YES 」の場合は次のステップに進み、「NO」の場合はステップ(31)に進む。
(30)ステップ(22)の差分やステップ (25) 、(28)、(34)の余りを天地の罫あきの部分に均等配分またはこれに近いかたちで配分して、次のステップに進む。
(31)配分処理後の折り間や天地の罫あきの部分の縦方向長さがすべて「正」であるかどうかを判断し、「YES 」の場合は一連の変更処理を終了し、「NO」の場合は次のステップに進む。
(32)字詰数可変の折りがあるかどうかを判断し、「YES 」の場合は次のステップに進み、「NO」の場合はステップ(35)に進む。
(33)この折りの字詰数を任意の所定数だけ減じた後の新字詰数が基準値より大であるかどうかを判断し、「YES 」の場合は次のステップに進み、「NO」の場合はステップ(35)に進む。これは、字詰数可変の折りの字詰数が過度に少なくなることを避けるためである。
(34)この所定数に対応の縦方向長さを余りとみなして、ステップ(27)に戻る。
(35)エラーメッセージを表示して、それまでに実行した変更処理を取り消す。
【００５０】
図12は、図９の変更指示実行後の箱パタン表示画面の一部を示す説明図であり、
・天罫外あき、天罫内あきが「 8.4Ｕ」から「 6.0Ｕ」に調整されたこと
・地罫外あき、地罫内あきが「 8.6Ｕ」から「 6.0Ｕ」に調整されたこと
がわかる。
【００５１】
【発明の効果】
本発明は、このように、先ず箱の折り方向サイズおよびその中に設定される折りの個数を少なくとも指示して箱の骨組みを最初に固定し、残りの箱内構成要素は、この骨組みの下、図３に示すような特定の段数（折り方向サイズ）・折り数に対応した複数の基準テーブルや、これとは別の汎用基準テーブルの各データを用いる形で設定・調整するようにしているため、新聞紙面上の箱自動作成処理の利便性および信頼性を高めることができる。
【図面の簡単な説明】
【図１】  本発明の、前提となる構成図である。
【図２】本発明の、箱設定画面の一部を示す説明図である。
【図３】本発明の、箱作成用デ−タを特定するたための基準テーブルを示す説明図である。
【図４】本発明の、折り方向（縦方向）についての箱作成の処理手順を示す説明図（その１）である。
【図５】本発明の、折り方向（縦方向）についての箱作成の処理手順を示す説明図（その２）である。
【図６】図４および図５の処理手順によって作成された箱の説明図である。
【図７】本発明の、箱パタン表示画面の一部を示す説明図（その１）である。
【図８】本発明の、箱パタン表示画面の一部を示す説明図（その２）である。
【図９】本発明の、箱パタン変更指示画面の一部を示す説明図である。
【図１０】本発明の、箱パタン変更指示に対する処理手順を示す説明図（その１）である。
【図１１】本発明の、箱パタン変更指示に対する処理手順を示す説明図（その２）である。
【図１２】図９の変更指示実行後の箱パタン表示画面で一部を示す説明図である。
【図１３】一般的な、箱フォーマットを示す説明図である。
【図１４】一般的な、箱フォーマットテーブルの一部を示す説明図である。
【図１５】一般的な、文字テーブルおよび罫線テーブルを示す説明図である。
【符号の説明】
図１において、
１・・・新聞紙面上の箱
２・・・天折り間など
３・・・折り間
４・・・地折り間など
５・・・折り
６・・・折り
７・・・行
８・・・箱設定手段
９・・・箱内調整手段
10・・・基準テーブル
【図１】
0003723873.tif 000003
【図２】
0003723873.tif 000004
【図３】
0003723873.tif 000005
【図４】
0003723873.tif 000006
【図５】
0003723873.tif 000007
【図６】
0003723873.tif 000008
【図７】
0003723873.tif 000009
【図８】
0003723873.tif 000010
【図９】
0003723873.tif 000011
【図１０】
0003723873.tif 000012
【図１１】
0003723873.tif 000013
【図１２】
0003723873.tif 000014
【図１３】
0003723873.tif 000015
【図１４】
0003723873.tif 000016
【図１５】
0003723873.tif 000017